(57)【特許請求の範囲】
【請求項１】
遊技客によって獲得された遊技媒体の数量及び交換レートが関連付けられた交換用記録媒体に基づいて、前記遊技媒体と所望の景品との交換制御を行う景品管理装置であって、
前記遊技客から受け渡された交換用記録媒体に関連付けられた遊技媒体の数量及び交換レートをそれぞれ取得する取得手段と、
前記取得手段によって交換レートが異なる複数の遊技媒体の数量が取得された場合に、各交換レートの遊技媒体の数量を統一価値に換算する換算手段と、
前記換算手段によって統一価値に換算された各交換レートの遊技媒体の数量を集計する集計手段と、
前記集計手段により集計された遊技媒体の数量を前記所望の景品に景品交換処理する景品交換処理手段と
を備えたことを特徴とする景品管理装置。
【請求項２】
前記統一価値で集計された集計結果を表示可能である表示手段をさらに備えたことを特徴とする請求項１に記載の景品管理装置。
【請求項３】
遊技客によって獲得された遊技媒体の数量及び交換レートが関連付けられた交換用記録媒体に基づいて、前記遊技媒体と所望の景品との交換制御を行う景品管理方法であって、
前記遊技客から受け渡された交換用記録媒体に関連付けられた遊技媒体の数量及び交換レートをそれぞれ取得する取得工程と、
前記取得工程によって交換レートが異なる複数の遊技媒体の数量が取得された場合に、各交換レートの遊技媒体の数量を統一価値に換算する換算工程と、
前記換算工程によって統一価値に換算された各交換レートの遊技媒体の数量を集計する集計工程と、
前記集計工程により集計された遊技媒体の数量を前記所望の景品に景品交換処理する景品交換処理工程と
を含んだことを特徴とする景品管理方法。
【発明の詳細な説明】
【技術分野】
【０００１】
本発明は、遊技客によって獲得された遊技媒体の数量及び交換レートが関連付けられた交換用記録媒体に基づいて、遊技媒体と所望の景品との交換制御を行う景品管理装置及び景品管理方法に関する。
【背景技術】
【０００２】
従来より、パチンコ遊技やパチスロ遊技などを提供する遊技店では、景品カウンタにおいて、遊技客が遊技で獲得した獲得遊技媒体と引き換えに所望の景品を提供する景品交換サービスを行っている。このようにして、遊技店によって提供される「景品」には、日用品、食料品や装飾品などの「一般景品」の他、遊技店とは独立した景品買取場での買取りを前提とした「特殊景品」が存在する。
【０００３】
かかる景品交換サービスを実現するものとしては、計数記録媒体や会員記録媒体などの交換用記録媒体に関連付けられた遊技媒体数から指定景品との交換に必要な玉数（以下、「交換玉数」と言う）を減算し、この時、指定景品の種別が「一般景品」である場合には、当該指定景品の払出しを促す従業員報知を所定の表示部で行って従業員に景品を手渡しさせ、また、指定景品の種別が「特殊景品」である場合には、景品払出機を通じて特殊景品を払出す景品管理装置がよく知られている（例えば、特許文献１参照）。なお、この「交換用記録媒体」としては、紙レシート（紙媒体）、ＩＣカード、磁気カード等の任意の記録媒体を用いることができる。
【先行技術文献】
【特許文献】
【０００４】
【特許文献１】特開２００２−３３１１４６号公報
【発明の概要】
【発明が解決しようとする課題】
【０００５】
ところで、最近では、遊技客に低料金で比較的長い時間楽しんでもらえる遊技を提供したいというニーズ、遊技台のお試し遊技の提供や人気分析等のニーズから、汎用の貸出レート（玉：４円／玉、メダル：２０円／枚）よりも低い貸出レート（玉：１円／玉、メダル：１０円／枚）の低レートコーナー（１円コーナー）を汎用貸出レートのコーナー（４円コーナー）と併存させる仕組みが確立されつつある。
【０００６】
しかしながら、遊技店において複数の貸出レートの遊技コーナーを設ける場合には、各貸出レートごとに景品管理装置を設ける必要があるため、遊技店の設備投資費用が増大するという問題があった。
【０００７】
そこで、本発明は、上述した従来技術による課題（問題点）を解消するためになされたものであり、遊技店の設備投資費用を低減させることができる景品管理装置及び景品管理方法を提供することを目的とする。
【課題を解決するための手段】
【０００８】
上述した課題を解決し、目的を達成するために、本発明に係る景品管理装置は、遊技客によって獲得された遊技媒体の数量及び交換レートが関連付けられた交換用記録媒体に基づいて、前記遊技媒体と所望の景品との交換制御を行う景品管理装置であって、前記遊技客から受け渡された交換用記録媒体に関連付けられた遊技媒体の数量及び交換レートをそれぞれ取得する取得手段と、前記取得手段によって交換レートが異なる複数の遊技媒体の数量が取得された場合に、各交換レートの遊技媒体の数量を統一価値に換算する換算手段と、前記換算手段によって統一価値に換算された各交換レートの遊技媒体の数量を集計する集計手段と、前記集計手段により集計された遊技媒体の数量を前記所望の景品に景品交換処理する景品交換処理手段とを備えたことを特徴とする。
【０００９】
また、本発明に係る景品管理装置は、上記の発明において、前記統一価値で集計された集計結果を表示可能である表示手段をさらに備えたことを特徴とする。
【００１０】
また、本発明に係る景品管理方法は、遊技客によって獲得された遊技媒体の数量及び交換レートが関連付けられた交換用記録媒体に基づいて、前記遊技媒体と所望の景品との交換制御を行う景品管理方法であって、前記遊技客から受け渡された交換用記録媒体に関連付けられた遊技媒体の数量及び交換レートをそれぞれ取得する取得工程と、前記取得工程によって交換レートが異なる複数の遊技媒体の数量が取得された場合に、各交換レートの遊技媒体の数量を統一価値に換算する換算工程と、前記換算工程によって統一価値に換算された各交換レートの遊技媒体の数量を集計する集計工程と、前記集計工程により集計された遊技媒体の数量を前記所望の景品に景品交換処理する景品交換処理工程とを含んだことを特徴とする。
【発明の効果】
【００１１】
本発明によれば、遊技客から受け渡された交換用記録媒体に関連付けられた遊技媒体の数量及び交換レートをそれぞれ取得し、交換レートが異なる複数の遊技媒体の数量が取得された場合に、各交換レートの遊技媒体の数量を統一価値に換算し、統一価値に換算された各交換レートの遊技媒体の数量を集計を集計し、集計された遊技媒体の数量を所望の景品に景品交換処理するように構成したので、１つの景品管理装置で異なる交換レートの交換用記録媒体を景品に交換させることができ、遊技店の設備投資費用を低減させることが可能になるという効果を奏する。さらに、異なる複数の交換レートの交換用記録媒体を１度に景品交換させることができ、遊技客の景品交換に係る利便性を向上させるとともに、景品交換業務の業務効率を向上させることが可能になる。
【図面の簡単な説明】
【００１２】
【図１】実施例１に係る遊技店の店内システムのシステム構成を示す図である。
【図２】各貸出レートの遊技コーナーの機器構成を示す図である。
【図３】実施例１に係る景品管理装置の特徴を説明するための概念図である。
【図４】図１に示した景品管理装置の構成を示す機能ブロック図である。
【図５】貸出レート割当て管理テーブルに記憶される情報の構成例を示す図である。
【図６】交換玉数管理テーブルに記憶される情報の構成例を示す図である。
【図７】実施例１に係る景品交換処理を示すフローチャートである。
【図８】景品管理装置の表示部に表示される交換画面の一例を示す図である。
【図９】景品管理装置の表示部に表示される交換画面の一例を示す図である。
【図１０】景品管理装置の表示部に表示される交換画面の一例を示す図である。
【図１１】景品管理装置の表示部に表示される交換画面の一例を示す図である。
【図１２】景品管理装置の表示部に表示される交換画面の一例を示す図である
【発明を実施するための形態】
【００１３】
以下に添付図面を参照して、本発明に係る景品管理装置及び景品管理方法の好適な実施例を詳細に説明する。なお、以下では、本発明をパチンコ遊技に適用する場合について説明することとする。
【００１４】
なお、請求項記載の「交換レート」は、以下の実施例では「貸出レート」として記載しているが、遊技媒体を貸し出す際のレートだけに限らず、遊技媒体を景品交換する際や特殊景品を交換する際のレートであってもよい。つまり、等価交換であれば貸出レートと景品交換レートは同じであるが、等価交換ではないホール、すなわち、玉の貸出レートが４円／個に対し景品交換レートが３．５円のどちらも含むものとする。
【実施例１】
【００１５】
［概要および特徴］
まず最初に、図１及び図２を用いて、実施例１に係る景品管理装置を含む店内システムのシステム構成を説明し、この店内システムにおける景品管理装置の位置付けを明確にしてから、図３を用いて、実施例１に係る景品管理装置の概要および特徴を説明する。
【００１６】
図１は、実施例１に係る遊技店の店内システムのシステム構成を示す図であり、図２は、各貸出レートの遊技コーナーの機器構成を示す図である。なお、本実施例１では、パチンコ玉を１玉４円で貸し出す４円コーナーと、パチンコ玉を１玉１円で貸し出す１円コーナーと、パチンコ玉を１玉２円で貸し出す２円コーナーとが遊技店内に併設される場合について説明することとする。
【００１７】
図１に示すように、店内システムには、プリペイドカードに関連付けられたプリペイド残額を管理するカード管理用ターミナルコントローラ（以下、「プリペイドカードＴ／Ｃ」と言う）１０と、遊技店にて予め登録処理された遊技客の会員情報を管理する会員管理用ターミナルコントローラ（以下、「会員管理Ｔ／Ｃ」と言う）１５と、４円コーナー所属の店内機器と、１円コーナー所属の店内機器と、２円コーナー所属の店内機器と、景品管理装置７０と、景品払出機８０とが設けられている。
【００１８】
そして、プリペイドカードＴ／Ｃ１０には、景品カウンタに配設される景品管理装置７０をはじめ、図２に示すように、各貸出レートの遊技コーナー所属の島コントローラ２０及び計数レシート発行機６０が接続されている。さらに、４円、１円及び２円コーナーの島コントローラ２０ａ、２０ｂ及び２０ｃには、各島に設置された複数のパチンコ機４０ａ、４０ｂ及び４０ｃにそれぞれに併設されたＣＲユニット３０ａ、３０ｂ及び３０ｃが接続されている。なお、景品管理装置７０には、特殊景品の払出しを行う景品払出機８０がさらに接続されている。
【００１９】
ここで、本実施例１では、ＣＲユニット３０ａ及びパチンコ機４０ａからなる４円コーナーと、ＣＲユニット３０ｂ及びパチンコ機４０ｂからなる１円コーナーと、ＣＲユニット３０ｃ及びパチンコ機４０ｃからなる２円コーナーとが設けられている。この４円コーナーは、遊技客に対して４円／玉の貸出レートで玉貸しを行う島であり、１円コーナーは、遊技客に対して１円／玉の貸出レートで玉貸しを行う島であり、また、２円コーナーは
、遊技客に対して２円／玉の貸出レートで玉貸しを行う島である。
【００２０】
このように、４円／玉の汎用貸出レートよりも低い１円／玉の１円コーナー及び２円／玉の２円コーナーを設けた理由は、遊技客による試し打ちを可能にするとともに、低料金で比較的長い時間楽しんでもらえる遊技を提供し、もって遊技機に対する遊技客の客付きや評価に関する情報を得るためである。なお、本実施例１では、４円コーナーの貸出レートである４円／玉を玉１と呼称し、１円コーナーの貸出レートである１円／玉を玉２、そして２円コーナーの貸出レートである２円／玉を玉３と呼称することとする。
【００２１】
ＣＲユニット３０ａは、現金またはプリペイドカードによる４円／玉の玉貸しを行うユニットであり、例えばこのＣＲユニット３０ａに１０００円札が挿入されると、このＣＲユニット３０ａからパチンコ機４０ａに対して２５０個の玉投出指示がなされる。一方、ＣＲユニット３０ｂは、１円／玉の玉貸しを行うユニットであり、また、ＣＲユニット３０ｃは、２円／玉の玉貸しを行うユニットであるが、これらのＣＲユニットに１０００円札が挿入された場合に相当数のパチンコ玉をそのまま投出させていたのではパチンコ機４０ｂ又は４０ｃの上皿があふれることになるため、５００円分（玉２：５００個、玉３：２５０個）をパチンコ機４０ｂ又は４０ｃに投出させるとともに残額（５００円）を記憶しておき、次の貸出指令を受ければ、その残額分をパチンコ機４０ｂ又は４０ｃに投出させる。
【００２２】
パチンコ機４０ａ、４０ｂ及び４０ｃは、パチンコ玉を用いたパチンコ遊技を遊技客に提供する遊技機であり、これらの遊技機には４円コーナー、１円コーナー及び２円コーナーに係る差異はない。ただし、１円コーナー及び２円コーナーに配設されるパチンコ機４０ｂ及び４０ｃは、遊技店の売上を担う遊技機ではなく、これから遊技店に新たに導入される新台が配設されることが多い。遊技客が大きな投資をすることなく新台の試し打ちを可能にするとともに、低料金で比較的長い時間楽しんでもらえる遊技を提供するためである。
【００２３】
計数機５０ａ、５０ｂ及び５０ｃは、遊技客が獲得したパチンコ玉を計数する計数機であり、その計数結果を計数レシート発行機６０ａ、６０ｂ又は６０ｃに出力する。具体的には、計数機５０ａには４円コーナーのパチンコ機４０ａで獲得されたパチンコ玉が投入され、計数機５０ｂには１円コーナーのパチンコ機４０ｂで獲得されたパチンコ玉が投入され、また、計数機５０ｃには２円コーナーのパチンコ機４０ｃで獲得されたパチンコ玉が投入されるので、計数機５０ａ、５０ｂ及び５０ｃでは投入されたパチンコ玉を計数し、計数レシート発行機６０ａ、６０ｂ又は６０ｃに出力する。なお、本実施例１では、計数機５０ａ、５０ｂ及び５０ｃはパチンコ玉の計数機能のみを有することとし、計数結果がバーコード印字された計数レシートを発行する印字機能、並びに、会員管理Ｔ／Ｃ１５にて記憶管理される貯玉残高に計数結果の一部または全部を貯玉加算させる計数貯玉機能は、後述する計数レシート発行機６０ａ、６０ｂ及び６０ｃが有することとする。また、本実施例では、各遊技コーナーの計数機５０ａ、５０ｂ及び５０ｃと、計数レシート発行機６０ａ、６０ｂ及び６０ｃとを別体として構成することとしたが、それぞれを計数機一体型のレート発行機として構成することも可能である。
【００２４】
計数レシート発行機６０ａ、６０ｂ及び６０ｃは、計数機５０ａ、５０ｂ又は５０ｃで計数されたパチンコ玉数をバーコード印刷した計数レシートを発行する印刷装置である。具体的には、計数機５０ａ、５０ｂ又は５０ｃの計数終了後に従業員によってレシート発行ボタンが押下操作されると、計数値（獲得玉数）、発行日時及び計数機号機を含む計数情報がバーコード印刷された計数レシートを発行する。なお、本実施例１では、４円コーナー専用の計数機５０ａと、１円コーナー専用の計数機５０ｂと、２円コーナー専用の計数機５０ｃとを個別に配設することとしたが、一台の計数機５０を用いて４円コーナー、１円コーナー及び２円コーナーで遊技客が獲得したパチンコ玉の全てを計数することもできる。なお、本実施例１では、計数機号機とその計数機の所属の貸出レートとを紐付けることとしているため、このように一台の計数機５０を用いて各遊技コーナーの獲得玉を計数する場合には、景品管理装置側で貸出レートを取得できるように計数機で貸出レートを入力させれば上記したように計数機を１つに集約することができる。
【００２５】
プリペイドカードＴ／Ｃ１０は、プリペイド残額管理テーブルを用いてプリペイドカードのプリペイド残額を統括管理する管理装置である。このプリペイド残額管理テーブルは、プリペイドカードＩＤにプリペイド残額を対応付けて記憶している。そして、ＣＲユニット３０ａ、３０ｂ又は３０ｃからプリペイドカードＩＤを含む残額更新依頼を受け付けた場合には、プリペイド残額管理テーブル内において当該プリペイドカードＩＤに対応するプリペイド残額を更新する。
【００２６】
景品管理装置７０は、遊技店内の景品交換カウンタに配設された景品交換用の端末装置であり、後述する交換玉数管理テーブル７６ｂを用いて獲得玉と景品との交換制御を行う。この交換玉数管理テーブル７６ｂは、景品ごとに各貸出レートの交換玉数を対応付けて記憶している。そして、景品交換カウンタ内の従業員が、計数レシート発行機６０により発行された計数レシートを遊技客から受け取ると、この計数レシートから獲得玉数及び計数機号機を含む計数情報をバーコードリーダ８２で読み取るとともに、後述する貸出レート割当て管理テーブル７６ａを用いて計数機号機から獲得玉の貸出レートを特定し、遊技客により指定された景品に対応する交換ボタンが押下されると、当該景品に関して計数レシートの計数機号機から特定した貸出レートに合致する交換玉数を獲得玉数から減算する交換処理を実行させ、その後に従業員による手作業で遊技客に受け渡す。また、遊技客が特殊景品への交換を希望する場合には、従業員はこの景品管理装置７０に設けられた特殊景品交換ボタンを押下し、交換玉数管理テーブル７６ｂを参照して、計数機号機から特定した貸出レートの獲得玉数に応じた特殊景品の払い出しを景品払出機８０に指示する。
【００２７】
ここで、本実施例１に係る景品管理装置７０は、遊技客によって獲得された獲得玉の数量及び貸出レートが関連付けられた計数レシートに基づいて、獲得玉と所望の景品との交換制御を行うことを概要とし、計数レシートから獲得玉の数量及び貸出レートを取得し、異なる複数の貸出レートを取得した場合に、各貸出レートの獲得玉の数量を所定の貸出レートの獲得玉の数量に換算し、所定の貸出レートに換算した獲得玉の数量を集計する点にその特徴がある。
【００２８】
すなわち、上記した従来技術においては、遊技店にて複数の貸出レートの遊技コーナーを設けた場合には、それぞれの貸出レート専用の景品管理装置を設ける必要があり、さらに、異なる複数の計数レシートを景品交換しようとする遊技客は、各貸出レート専用の景品管理装置にその貸出レートの計数レシートを持ち込まねばならなかった。
【００２９】
そこで、本実施例１では、計数レシートから貸出レートと獲得玉数を取得し、取得した各貸出レートの獲得玉数を交換の基準とする貸出レート（以下、交換基準レートと言う）に対応する獲得玉数に換算し、かかる交換基準レートに対応した獲得玉数を用いて景品との交換制御を行うことで、１つの景品管理装置７０で異なる貸出レートの計数レシートを景品に交換させるとともに、異なる複数の貸出レートの計数レシートを受け付けた場合に、各貸出レートの獲得玉数から交換基準レートに換算された獲得玉数を集計することで、異なる複数の貸出レートの計数レシートを１度に景品交換することができるようにしている。
【００３０】
これを具体的に説明すると、景品管理装置７０では、図３に示す４円レシート、１円レシート、２円レシート、そして４円レシートを受け付けた場合に、それぞれの計数レシー
トから獲得玉数および貸出レート、この例では玉１の獲得玉１０００個、玉２の獲得玉１５００個、玉３の獲得玉５００個及び玉１の獲得玉８００個を取得する。
【００３１】
続いて、景品管理装置７０は、このようして取得した各計数レシートの獲得玉数に各貸出レートの玉２に対する換算係数、すなわち玉１から玉２に換算する場合には「４」、玉３から玉２に換算する場合には「２」を乗算し、また、玉２の場合にはそのまま据え置くか、或いは「１」を乗算して交換基準レート（玉２）の獲得玉数に換算する。図３の例で言えば、１枚目の４円レシートの獲得玉数１０００個に４を乗算して交換基準レートの獲得玉数４０００個に換算し、２枚目の１円レシートの獲得玉数１５００個に１を乗算して交換基準レートの獲得玉数１５００個に換算し、３枚目の２円レシートの獲得玉数５００個に２を乗算して交換基準レートの獲得玉数１０００個に換算し、最後に、４枚目の４円レシートの獲得玉数８００個に４を乗算して交換基準レートの獲得玉数３２００個に換算する。
【００３２】
そして、景品管理装置７０は、これら交換基準レートに換算された獲得玉数、４０００個、１５００個、１０００個および３２００個を集計し、このようにして集計した交換基準レートの獲得玉の集計値９７００個を総獲得玉数として景品との交換制御を行う。なお、ここでは、説明の便宜上、すべての計数レシートから獲得玉数および貸出レートを取得してから、各計数レシートの獲得玉について交換基準レートへの換算、そして換算後の獲得玉の集計を行うこととしたが、実際には、１つの計数レシートの獲得玉数を取得し、換算して集計した後に次の計数レシートについて取得、換算及び集計を行って計数レシートを直列的に処理するようにしてもよい。
【００３３】
このため、４円レシート、１円レシート又は２円レシートのいずれの計数レシートが持ち込まれた場合でも、１つの景品管理装置で交換基準レートの獲得玉として景品交換させるとともに、４円レシートを２枚、１円レシートを１枚、そして２円レシートを１枚が同一の遊技客によって景品カウンタに持ち込まれた場合でも、これらの計数レシートを一括して景品交換させることができる。
【００３４】
したがって、本実施例１では、１つの景品管理装置で異なる貸出レートの計数レシートを景品に交換させることができ、遊技店の設備投資費用を低減させることが可能になる。さらに、異なる複数の貸出レートの計数レシートを１度に景品交換させることができ、遊技客の景品交換に係る利便性を向上させるとともに、景品交換業務の業務効率を向上させることが可能になる。なお、本実施例１では、交換基準レートを玉２（１円／玉）とした場合を説明するが、他の貸出レート（玉１、玉３やそのほかの貸出レート）を交換基準レートとする場合にも本発明を同様に適用することができる。
【００３５】
［景品管理装置の構成］
次に、図１に示した景品管理装置７０の構成について説明する。図４は、図１に示した景品管理装置７０の構成を示す機能ブロック図である。同図に示すように、この景品管理装置７０は、従業員用タッチパネル７１と、従業員用操作キー７２と、遊技客用タッチパネル７３と、通信Ｉ／Ｆ部７４と、レシート発行部７５と、記憶部７６と、制御部７７とを有する。なお、景品管理装置７０には、会員カード等の各種カードから記録情報を読み取るカードリーダ８１、及び、計数レシートからバーコード情報を読み取るバーコードリーダ８２に加え、特殊景品を払出す景品払出機８０が接続されている。
【００３６】
従業員用タッチパネル７１は、液晶パネルやディスプレイなどの表示デバイス上で操作入力を受け付けることができる表示可能かつ入力可能な従業員用デバイスであり、例えば、後述する表示制御部７７ｅによる指示に基づき景品の交換画面（例えば、交換基準レートの総獲得玉数およびその残数、交換景品の品目や個数など）を表示する。
【００３７】
また、従業員用操作キー７２は、従業員が操作する一般景品や特殊景品等の各種景品の交換ボタン、テンキー等の総称である。なお、本実施例１では、景品管理装置７０に対する交換景品の指定を従業員に行わせることとしたが、必ずしも従業員に指定させる必要はなく、遊技客に指定させるようにしてもかまわない。
【００３８】
遊技客用タッチパネル７３は、液晶パネルやディスプレイなどの表示デバイス上で操作入力を受け付けることができる表示可能かつ入力可能な遊技客用デバイスであり、従業員用タッチパネル７１と同様の表示を行うことを基本とするが、両者の表示内容は必ずしも内容が同一である必要はなく、従業員にだけ景品交換業務に関してより詳細な情報を表示させるようにしてもよい。
【００３９】
通信Ｉ／Ｆ部７４は、当該景品管理装置７０と他の装置（例えば、プリペイドカードＴ／Ｃ１０、計数レシート発行機６０及び景品払出機８０などの他の装置）との間で各種通信を行うためのインターフェースである。
【００４０】
レシート発行部７５は、各種情報を紙媒体に印字する処理部であり、例えば、景品管理装置７０にて交換制御が行われた内容（例えば、交換日時、従業員名、総獲得玉数、交換景品の品目、個数や交換玉数などの項目）を印字して交換レシートとして発行したり、また、遊技店の営業終了後には、景品の入出庫管理（例えば、景品出庫による粗益管理）に係る情報を締上げ票として発行したりする。
【００４１】
記憶部７６は、制御部７７による各種処理に必要なデータおよびプログラムを記憶する不揮発性メモリ等の記憶デバイスであり、景品レシート等に印字するフォーマット及びその印字内容等の情報の他、計数機５０に割り当てられた貸出レートを管理する貸出レート割当て管理テーブル７６ａと、景品との交換に要する交換玉数を管理する交換玉数管理テーブル７６ｂとを記憶する。
【００４２】
貸出レート割当て管理テーブル７６ａは、図５に示すように、計数機号機ごとにその計数機５０が割り当てられた貸出レートを記憶したテーブルである。ここで、計数機５０ごとに貸出レートを割り当てて記憶する理由は、計数レシートに関連付けられた貸出レートを特定するためであるが、このように計数レシート自体に貸出レートを記録させずに計数機号機に紐付ければ、従来から計数レシートに記録されるバーコード情報に計数機号機が含まれていることから、計数機５０において貸出レートに関する情報を計数レシートに埋め込ませずとも、景品管理装置７０側で計数レシートの貸出レートを特定することができるからである。
【００４３】
交換玉数管理テーブル７６ｂは、図６に示すように、景品マスタ、すなわち景品名ごとに交換基準レートの交換玉数を記憶したテーブルである。図６に示す例では、玉２「１円／玉」の交換玉数が交換基準レートの交換玉数として格納されており、菓子Ａを１００個で交換し、ジュースＢを１２０個で交換し、また、タバコＣを３００個で交換するように定められている。
【００４４】
制御部７７は、景品管理装置７０を全体制御する制御部であり、計数情報取得部７７ａと、交換基準レート玉数換算部７７ｃと、交換基準レート玉数集計部７７ｄと、表示制御部７７ｅと、景品交換処理部７７ｆとを有する。実際には、これらの機能部に対応するプログラムを図示しないＲＯＭや不揮発性メモリに記憶しておき、これらのプログラムをＣＰＵにロードして実行し、計数情報取得部７７ａ、交換基準レート玉数換算部７７ｃ、交換基準レート玉数集計部７７ｄ、表示制御部７７ｅ及び景品交換処理部７７ｆにそれぞれ対応するプロセスを実行させることになる。
【００４５】
計数情報取得部７７ａは、バーコードリーダ８２を通じて計数レシートから計数情報を取得する処理部であり、貸出レート割当て管理テーブル７６ａを用いて計数情報に含まれる計数機号機から計数レシートの貸出レートを特定する貸出レート特定部７７ｂを内在する。具体的には、従業員によるバーコードリーダ８２の読取操作を通じて計数レシートから読み取られた計数情報を取得してから、貸出レート割当て管理テーブル７６ａから計数情報に含まれる計数機号機を検索し、このようにして検索した計数機号機に対応付けられた貸出レートを当該計数レシートの貸出レートとして特定する。
【００４６】
交換基準レート玉数換算部７７ｃは、計数情報取得部７７ａによって計数レシートから取得された獲得玉数を交換基準レートに対応する獲得玉数に換算する処理部である。具体的には、貸出レート特定部７７ｂによって計数レシートから特定された貸出レートの玉２に対する換算係数、たとえば玉１から玉２に換算する場合には「４」、玉３から玉２に換算する場合には「２」を乗算し、また、玉２の場合にはそのまま据え置くか、或いは「１」を当該計数レシートの獲得玉数に乗算して交換基準レート（玉２）の獲得玉数に換算する。
【００４７】
交換基準レート玉数集計部７７ｄは、交換基準レート玉数換算部７７ｃによって交換基準レートに換算された獲得玉数を集計する処理部である。具体的には、交換基準レート玉数換算部７７ｃによって計数レシートから取得された獲得玉数が交換基準レートの獲得玉数に順次換算されるので、このようにして換算された獲得玉数を前回までに集計した獲得玉数に累積加算して総獲得玉数として集計する。
【００４８】
表示制御部７７ｅは、従業員用タッチパネル７１及び遊技客用タッチパネル７３の表示制御を行う処理部である。例えば、景品の交換画面として表示される項目、たとえば計数情報取得部７７ａによって計数情報が取得された計数レシートの枚数を表す項目「読取レシート枚数」、貸出レート特定部７７ｂによって特定された各計数レシートの貸出レートを表す項目「レシート種別」及びその獲得玉数を表す項目「レシート玉数」、そして交換基準レート玉数換算部７７ｃによって交換基準レートに換算された各計数レシートの獲得玉数を表す項目「交換基準レート玉数」、交換基準レート玉数集計部７７ｄによって集計された交換基準レートにおける総獲得玉数を表す項目「総数」及びその残り玉数を表す項目「残数」などを更新表示させる。
【００４９】
景品交換処理部７７ｆは、交換玉数管理テーブル７６ｂを用いて獲得玉と景品との交換を管理する処理部である。具体的には、交換基準レート玉数集計部７７ｄによって集計された交換基準レートの獲得玉に残数が存在する場合に、従業員により遊技客指定の景品に対応する交換ボタンが押下されると、当該景品に関して交換基準レートに合致する交換玉数を獲得玉の残数から減算し、当該残数がゼロになった場合には、交換日時、従業員名、総獲得玉数、交換景品の品目、個数及び交換玉数などの項目が印字された景品レシートを発行するようにレシート発行部７５に指示する。
【００５０】
［処理の流れ］
次に、本実施例１に係る景品管理装置７０による景品交換処理について詳細に説明する。図７は、実施例１に係る景品交換処理を示すフローチャートである。このフローチャートでは、従業員によって遊技客が持ち込んだ計数レシートの読取操作が行われると、バーコードリーダ８２によって計数レシートに印字されたバーコードから計数情報が読み取られるので、計数情報取得部７７ａがその計数情報をバーコードリーダ８２から受信したことを契機に開始される。
【００５１】
図７に示すように、前回の交換制御が終了してから最初に計数情報取得部７７ａによっ
て計数情報が取得されると（ステップＳ７０１肯定）、貸出レート特定部７７ｂは、貸出レート割当て管理テーブル７６ａから当該計数情報に含まれる計数機号機を検索し、このようにして検索した計数機号機に対応付けられた貸出レートを当該計数レシートの貸出レートとして特定する（ステップＳ７０２）。
【００５２】
続いて、交換基準レート玉数換算部７７ｃは、貸出レート特定部７７ｂによって計数レシートから特定された貸出レートの玉２に対する換算係数を当該計数レシートの獲得玉数に乗算して交換基準レート（玉２）の獲得玉数に換算し（ステップＳ７０３）、交換基準レート玉数集計部７７ｄは、このようにして交換基準レートに換算された獲得玉数を総獲得玉数として計上する（ステップＳ７０４）。
【００５３】
そして、表示制御部７７ｅは、従業員用タッチパネル７１及び遊技客用タッチパネル７３に表示される交換画面の表示項目、たとえば読取レシート枚数、レシート種別、レシート玉数、交換基準レート玉数、総数および残数を更新表示する（ステップＳ７０５）。
【００５４】
例えば、図３に示した１番目の４円レシート（玉１の獲得玉１０００個）から計数情報が取得された場合には、図８に示すように、現在の読取レシート枚数「１枚」、レシート種別「４円レシート」、レシート玉数「１０００個」、交換基準レート玉数「４０００個」、総数「４０００個」及び残数「４０００個」などの項目が更新表示される。このように、レシート玉数と交換基準レート玉数を併せて表示すれば、交換基準レートと異なる計数レシートを読み取った場合でも適正な状態での景品交換が担保されている旨を明示することができる。
【００５５】
ここで、計数情報取得部７７ａによって２番目以降の新たな計数情報が取得されると（ステップＳ７０６肯定）、貸出レート特定部７７ｂは、貸出レート割当て管理テーブル７６ａから当該計数情報に含まれる計数機号機を検索し、このようにして検索した計数機号機に対応付けられた貸出レートを当該計数レシートの貸出レートとして特定する（ステップＳ７０７）。
【００５６】
続いて、交換基準レート玉数換算部７７ｃは、貸出レート特定部７７ｂによって計数レシートから特定された貸出レートの玉２に対する換算係数を当該計数レシートの獲得玉数に乗算して交換基準レート（玉２）の獲得玉数に換算し（ステップＳ７０８）、交換基準レート玉数集計部７７ｄは、このようにして交換基準レートに換算された獲得玉数を前回までに集計した獲得玉数に累積加算して総獲得玉数として集計する（ステップＳ７０９）。
【００５７】
そして、表示制御部７７ｅは、従業員用タッチパネル７１及び遊技客用タッチパネル７３に表示される交換画面の表示項目、たとえば読取レシート枚数、レシート種別、レシート玉数、交換基準レート玉数、総数および残数を更新する（ステップＳ７１０）。
【００５８】
例えば、図３に示した４枚の計数レシートから計数情報が取得された場合には、図９に示す交換画面が表示される。かかる交換画面を表示すれば、４円レシートが２枚、１円レシート及び２円レシートが各々１枚受け付けられたことを遊技客に明示することができるとともに、各計数レシートの獲得玉数と交換基準レートの玉数とが併記されるので、交換基準レートと異なる計数レシートを読み取った場合でも適正な状態での景品交換が担保されている旨を明示することができ、さらには、交換基準レートの総獲得玉数が総数として表示されるので、景品交換の対象となる玉数を一目で把握させることができる。
【００５９】
その後、計数情報取得部７７ａにて新たな計数情報が取得されるのを待機している状態で（ステップＳ７０６否定）、従業員用タッチパネル７１、従業員用操作キー７２又は遊
技客用タッチパネル７３などの入力デバイスを通じて、遊技客が交換を希望する景品の指定を受け付けると（ステップＳ７１１肯定）、景品交換処理部７７ｆは、交換玉数管理テーブル７６ｂ内の指定景品に対応する交換玉数を獲得玉の残数から減算する交換制御を行う（ステップＳ７１２）。
【００６０】
そして、獲得玉の残数がゼロになるまで（ステップＳ７１３肯定）、上記したステップＳ７１１〜Ｓ７１２の処理を繰り返し行い、獲得玉の残数がゼロになると（ステップＳ７１３否定）、景品交換処理部７７ｆは、交換日時、従業員名、総獲得玉数、交換景品の品目、個数及び交換玉数などの項目が印字された景品レシートを発行するようにレシート発行部７５に指示し（ステップＳ７１４）、処理を終了する。
【００６１】
上述してきたように、本実施例１によれば、計数レシートから獲得玉の数量及び貸出レートを取得し、異なる複数の貸出レートを取得した場合に、各貸出レートの獲得玉の数量を交換基準レートの獲得玉の数量に換算し、交換基準レートに換算した獲得玉の数量を集計するように構成したので、１つの景品管理装置で異なる貸出レートの計数レシートを景品に交換させることができ、遊技店の設備投資費用を低減させることが可能になる。さらに、異なる複数の貸出レートの計数レシートを１度に景品交換させることができ、遊技客の景品交換に係る利便性を向上させるとともに、景品交換業務の業務効率を向上させることが可能になる。
【実施例２】
【００６２】
さて、これまで本発明の実施例について説明したが、本発明は上述した実施例以外にも、種々の異なる形態にて実施されてよいものである。そこで、以下では、本発明に含まれる他の実施例を説明する。
【００６３】
例えば、遊技関連業界においては、高レートコーナー（４円コーナー）で獲得されたパチンコ玉については景品買取場で買取り可能な特殊景品との交換を容認するが、低レートコーナー（１円コーナーや２円コーナー）で獲得されたパチンコ玉については特殊景品との交換を禁止したいという強いニーズが存在する。
【００６４】
このような要求を実現すべく、本発明では、換算前の貸出レートが交換許可レート（玉１）又は交換不許可レート（玉２又は玉３）のいずれに由来するのかによって区別して、交換基準レートに換算後の獲得玉の数量を集計するようにしてもよい。
【００６５】
例えば、図１０に示すように、図３に示した４枚の計数レシートから計数情報が取得された場合には、１番目と４番目の計数レシートは交換許可レート（玉１）であるため、交換基準レートに換算後の交換基準レート玉数「４０００個」及び「３２００個」を集計し、これらの集計値「７２００個」を特殊景品との交換が許可された獲得玉「特殊」として管理する一方で、２番目と３番目の計数レシートは交換不許可レート（玉２及び玉３）であるため、交換基準レートに換算後の交換基準レート玉数「１５００個」及び「１０００個」を集計し、これらの集計値「２５００個」を一般景品のみに交換可能な獲得玉「一般」として管理し、獲得玉「特殊」で管理した獲得玉数「７２００個」の範囲内での特殊景品の交換制御を許容する。これによって、上記した遊技店の運用ニーズに適合した景品交換サービスを実現することが可能になる。
【００６６】
さらに、本発明では、交換許可レート及び交換不許可レートごとに集計された獲得玉の数量のうち、換算前の由来が交換許可レートもしくは交換不許可レートである獲得玉の数量の一部を他方に集計される獲得玉の数量に移行するようにしてもよい。
【００６７】
例えば、特殊景品との交換が許可された４円レシートから取得した獲得玉と一般景品だ
けに交換可能な１円レシート及び２円レシートから取得した獲得玉とを交換基準レートに換算後に別々に集計しても、特殊景品の交換玉数で割り切れずに余る端数の玉数が生じる。このような場合には、上記した獲得玉「特殊」として集計したもののうち、特殊景品の交換玉数で割り切れない端数の玉数を獲得玉「一般」の方に移行させる。
【００６８】
一例を挙げれば、図３に示した４枚の計数レシートから計数情報が取得された場合には、特殊景品との交換が許可された獲得玉「特殊」として７２００個が集計され、また、一般景品にのみ交換可能な獲得玉「一般」として２５００個が集計されるが（図１０参照）、交換基準レートに対応した交換玉数が２５００個の特殊景品「大」、交換玉数が１０００個の特殊景品「小」の２種類の特殊景品が存在するとした時、特殊景品「大」２つ及び特殊景品「小」２つの組合せが７２００個内で最も価値が高い特殊景品の組合せとなる。このような場合には、図１１に示すように、獲得玉「特殊」で管理した獲得玉数７２００個から特殊景品「大」２つの交換玉数５０００個及び特殊景品「小」２つの交換玉数２０００個を減算して余り玉２００個を算出しておき、この余り玉を獲得玉「一般」で管理した獲得玉数２５００個に移行させ、獲得玉「特殊」を７０００個、獲得玉「一般」を２７００個として交換制御を実行させる。
【００６９】
すなわち、これによって、特殊景品との交換が許可される獲得玉数ではなく、実際に特殊景品に交換することができる獲得玉数を集計値として保持することができ、たとえばかかる集計値を提示すれば、遊技客及び従業員に特殊景品に交換可能な獲得玉数を一目で把握させることができ、景品交換業務を円滑に行うことが可能になる。
【００７０】
また、ここでは、獲得玉「特殊」の集計値の一部を獲得玉「一般」の集計値の方に移行させることとしたが、これとは逆に、獲得玉「一般」の集計値の一部を獲得玉「特殊」の集計値の方に移行させることもできる。
【００７１】
例えば、図１０に示す例では、特殊景品「大」２つ及び特殊景品「小」２つの組合せが７２００個内で最も価値が高い特殊景品の組合せとなるが、図１２に示すように、当該組合せよりも１段階価値が高い特殊景品の組合せ、すなわち特殊景品「大」３つを特定し、獲得玉「一般」の集計値のうち、１段階価値が高い特殊景品の組合せに満たない不足分の獲得玉数３００個（＝特殊景品「大」３つの交換玉数７５００個−獲得玉「特殊」の集計値７２００個）を獲得玉「特殊」の集計値に補填（移行）させる。なお、この場合、不足分の獲得玉の数量に獲得玉「一般」の集計値が満たなければ移行することができないのは言うまでもない。
【００７２】
すなわち、これによって、特殊景品との交換に必要な玉数に合わせて交換許可レートの集計値を調節することができ、遊技客にとって利便性の高い景品交換サービスを提供することが可能になる。
【００７３】
なお、このように獲得玉「一般」の集計値の一部を獲得玉「特殊」の集計値の方に移行させる運用は例外的なものであるため、かかる例外的な運用を厳格に適用する観点から、獲得玉「特殊」の集計値（交換許可レートの集計値）で交換することができる特殊景品の組合せよりも１段階だけ合計価値が高い特殊景品の組合せに必要な獲得玉数が所定値以内である場合にだけ移行を許可するようにするのが好ましい。なお、上記の所定値の設定としては、特殊景品交換可能な最小単位（本実施例では小景品に相当する５００個）未満、つまり４９９個以下で設定するのが望ましい。
【００７４】
このように、交換許可レート及び交換不許可レートごとに集計された獲得玉の数量のうち、換算前の由来が交換許可レートもしくは交換不許可レートである獲得玉の数量の一部を他方に集計される獲得玉の数量に移行することで、特殊景品の交換制御を柔軟に行うこ
とが可能になる。
【００７５】
なお、上記した実施例１では、パチンコ玉と現金が１対１に対応する玉２（１円／玉）を交換基準レートとしたが、任意の貸出レート、たとえば玉１：４円／玉やその他の貸出レート（０．１円／玉）を交換基準レートとした場合にも本発明を同様に適用することができる。
【００７６】
また、上記した実施例１では、玉１（４円／玉）、玉２（１円／玉）及び玉３（２円／玉）の３つの貸出レートに対応した遊技コーナーを設けた場合を説明したが、本発明はこれに限定されるものではなく、複数の貸出レートに対応した遊技コーナーが設けられていればよく、遊技コーナーの数にかかわらず本発明を同様に適用することができる。
【００７７】
なお、上記した実施例１では、交換用記録媒体として計数レシート（紙媒体）を用いる場合を説明したが、必ずしも紙媒体である必要はなく、紙媒体の他、ＩＣカード、磁気カード等の任意の記録媒体を用いる場合にも本発明を同様に適用することができる。
【００７８】
また、計数レシートには、貸出レートそのものを記録してもよいし、また、計数ＩＤのみを記録してもよい。このように計数ＩＤのみを記録する場合は、景品管理装置７０側で計数ＩＤと少なくとも計数値、貸出レートとを関連付けれて記憶する必要がある。
【００７９】
また、上記した実施例１では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店及びパチスロ店に本発明を適用する例を説明したが、本発明はこれに限定されるものではなく、ゲームセンタ等の遊技施設にも同様に適用することができる。
【００８０】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【産業上の利用可能性】
【００８２】
以上のように、本発明に係る景品管理装置及び景品管理方法は、遊技店の設備投資費用を低減させる場合に適している。
【符号の説明】
【００８３】
１０    プリペイドカードＴ／Ｃ
１５    会員管理Ｔ／Ｃ
２０ａ,２０ｂ,２０ｃ  島コントローラ
３０ａ,３０ｂ,３０ｃ  ＣＲユニット
４０ａ,４０ｂ,４０ｃ  パチンコ機
５０ａ,５０ｂ,５０ｃ  計数機
６０ａ,６０ｂ,６０ｃ  計数レシート発行機
７０    景品管理装置
７１    従業員用タッチパネル
７２    従業員用操作キー
７３    遊技客用タッチパネル
７４    通信Ｉ／Ｆ部
７５    レシート発行部
７６    記憶部
７６ａ  貸出レート割当て管理テーブル
７６ｂ  交換玉数管理テーブル
７７    制御部
７７ａ  計数情報取得部
７７ｂ  貸出レート特定部
７７ｃ  交換基準レート玉数換算部
７７ｄ  交換基準レート玉数集計部
７７ｅ  表示制御部
７７ｆ  景品交換処理部
８０    景品払出機
８１    カードリーダ
８２    バーコードリーダ
【図１】
0005647658.tif 000002
【図２】
0005647658.tif 000003
【図３】
0005647658.tif 000004
【図４】
0005647658.tif 000005
【図５】
0005647658.tif 000006
【図６】
0005647658.tif 000007
【図７】
0005647658.tif 000008
【図８】
0005647658.tif 000009
【図９】
0005647658.tif 000010
【図１０】
0005647658.tif 000011
【図１１】
0005647658.tif 000012
【図１２】
0005647658.tif 000013